(57)【要約】【課題】ライフサイクルコストを低減した酸素富化機のレンタル方法を提供する。【解決手段】酸素富化機１の貸出し情報を端末に入力し、前記端末からの貸出し時間情報に応じてレンタル費用をサーバで算出して、前記レンタル費用を得る酸素富化機のレンタル方法で、利用者は酸素富化機１を使用した使用状況の分だけレンタル費を支払うことになるのでライフサイクルコストを大幅に低減することができる。また、電車、飛行機などの移動手段で酸素富化機を使用した場合にも、その使用時間に応じたレンタル費用でレンタルすることができる。また、利用者の利用状況から算出されるレンタル費を明確にかつ迅速に計算できる賃貸システムを構築することもできる。【選択図】図１
2005115608.tif 000002
【特許請求の範囲】
【請求項１】
酸素富化機の貸出し情報を端末に入力し、前記端末からの貸出し時間情報に応じてレンタル費用をサーバで算出して、前記レンタル費用を得る酸素富化機のレンタル方法。
【請求項２】
複数の拠点に配した端末に、酸素富化機の貸出し情報を入力し、前記端末からの貸出し時間の情報に基づき、レンタル費用をサーバで算出して、前記レンタル費用を得る請求項１記載の酸素富化機のレンタル方法。
【請求項３】
酸素富化機の貸出しや返却を行う複数の拠点に配した端末と、前記端末からの貸出し拠点情報、返却拠点情報を一元的に管理するサーバとを備え、前記端末からの貸出し拠点情報と返却拠点情報に基づき、レンタル費用をサーバで算出し、前記レンタル費を得る酸素富化機のレンタル管理システム。
【請求項４】
端末を、駅やバスターミナル・売店・高速道路のサービスエリアなど交通手段に関連する複数の場所に配した請求項１〜３のいずれか１項に記載の酸素富化機のレンタル管理システム。
【請求項５】
酸素富化機を貸出しや返却を行う複数の拠点のそれぞれに配され、貸出しされた情報を入力する第１の入力手段、返却された情報を入力する第２の入力手段、レンタル費用を表示する表示手段を有する端末と、前記端末のそれぞれと互いに情報を送受信し貸出し情報を蓄積する記憶手段、レンタル費用を算出する算出手段を有するサーバとを備え、前記第１の入力手段からの情報は、貸し出される前記酸素富化機ごとに前記記憶手段に蓄積され、前記第２の入力手段からの情報と前記サーバの情報からレンタル費用が算出され、算出されたレンタル費用の情報は、前記端末に送信されかつ前記表示手段に表示される構成とした酸素富化機のレンタル管理システム。
【請求項６】
貸し出される酸素富化機と、貸出しの情報を一元的に管理し貸出しと返却の情報に基づきレンタル費用を算出するサーバとを備え、前記酸素富化機に、前記サーバからのレンタル費用に関する情報を受信する受信手段と、前記レンタル費用を表示する表示手段とを設けた酸素富化機のレンタル管理システム。
【請求項７】
コンピュータを、請求項１〜６のいずれか１項に記載の酸素富化機のレンタル方法および／またはレンタル管理システムとして機能させるプログラム。
【請求項８】
コンピュータを、利用者の使用状況を記憶する記憶手段と、前記使用状況のデータから費用を算出する算出手段として機能させる請求項７記載のプログラム。
【発明の詳細な説明】
【技術分野】
【０００１】
本発明は、酸素富化空気を使用者に提供する酸素富化機のレンタル方法及びレンタル管理システム及びプログラムに関するものである。
【背景技術】
【０００２】
空気中の酸素を濃縮して酸素富化空気を発生させる従来の酸素富化機は、酸素富化膜を内蔵した装置本体と、これに接続された酸素吐出部と、音声発生源と、ヘッドホンタイプの音声出力部等を備え、前記酸素吐出部と前記音声出力部を一体にし、前記酸素吐出部を人体の口の部分に位置させることで音声を聞きながら酸素吸入ができるようにしてある（例えば、特許文献１参照）。
【特許文献１】特開平３−６３０６７号公報
【発明の開示】
【発明が解決しようとする課題】
【０００３】
しかしながら従来は、利用者が酸素富化機を購入して使用するのが一般的であった。そして酸素富化機が故障した場合は、その故障が保証期間内に起こったのであれば無料で修理され、保証期間が過ぎてから故障が生じた場合は、有料で修理される。この酸素富化機を廃棄するときは、電化製品であることから産業廃棄物として処理される。既にテレビや冷蔵庫等の特定製品については、リサイクルの推進のため２００１年４月からリサイクル料金が課せられるようになったことから、酸素富化機についても現在は無料であるが将来的にはリサイクル料金が課せられるようになると考えられる。
【０００４】
つまり、従来の酸素富化機の利用状況においては、酸素富化機を購入して使用すると初期費用が多大になり、購入後にさらに良い製品が発表され買い替えを望んでも、資金的に購入が困難となる。また、初期費用を低減するために、金融会社との間でファイナンス契約を結ぶと、トータルで見ると、金利や手数料のコストが余計に必要となる。その際、金融会社は、貸し倒れリスクに応じて金利や手数料の割合を変化させるので、一般の消費者にとっては、金利や手数料の製品に占める割合が比較的大きくなる。また、酸素富化機を購入して使用するとなると家庭でしか使用できず、旅行や買い物、仕事での出張先や宿泊先等で使用できない。また、その移動中の移動媒体内、例えば列車、電車、バス、飛行機、船、車の中でも使用したい時に使用できないという課題を有していた。
【０００５】
ところで、酸素富化機を使用するに当たっては、購入時のイニシャルコストと、電力料金や修理費用等のランニングコストと廃棄の時に発生する廃棄コスト（将来発生した場合）の合計が、電化製品を購入してから廃棄するまでに要する費用である。この合計費用であるライフサイクルコストが少ないことが、使用者にとっては望ましい。つまり使用者、消費者にとって酸素富化機を使用したその分だけに費用を支払うのが最も最適といえる。
【０００６】
また、家庭でしか使用できないということは、購入後の酸素富化機のトータルでの使用時間は限られたものとなり、ライフサイクルコストは高くなることを意味する。つまり、酸素富化機を家庭だけでなく、旅行や買い物、仕事での出張等の出かけた出先や宿泊先等で使用できるようにまたは、その移動中の移動媒体内、例えば列車、電車、バス、飛行機、船、車の中で使用したい時に使用できるようにすることでライフサイクルコストを低減することができる。
【０００７】
本発明は、前記従来の課題を解決するもので、酸素富化機のライフサイクルコストを低減し、どこでも酸素富化機が利用できる酸素富化機のレンタル方法及びレンタル管理システム及びプログラムを提供することを目的とする。
【課題を解決するための手段】
【０００８】
前記従来の課題を解決するために本発明は、酸素富化機の貸出し情報を端末に入力し、前記端末からの貸出し時間情報に応じてレンタル費用をサーバで算出して、前記レンタル費用を得る酸素富化機のレンタル方法で、利用者は酸素富化機を使用した分だけレンタル費を支払うことになるのでライフサイクルコストを大幅に低減することができる。
【０００９】
また、酸素富化機の貸出しや返却を行う複数の拠点に配した端末と、前記端末からの貸出し拠点情報、返却拠点情報を一元的に管理するサーバとを備え、前記端末からの貸出し拠点情報と返却拠点情報に基づき、レンタル費用をサーバで算出し、前記レンタル費を得る酸素富化機のレンタル管理システムで、利用者が酸素富化機を使用した分だけレンタル費を支払うことで、ライフサイクルコストを低減することができるとともに、電車、飛行機などの移動手段で酸素富化機を使用した場合、その移動距離に応じたレンタル費用でレンタルすることができる。
【００１０】
また、酸素富化機を貸出しや返却を行う複数の拠点のそれぞれに配され、貸出しされた情報を入力する第１の入力手段、返却された情報を入力する第２の入力手段、レンタル費用を表示する表示手段を有する端末と、前記端末のそれぞれと互いに情報を送受信し貸出し情報を蓄積する記憶手段、レンタル費用を算出する算出手段を有するサーバとを備え、前記第１の入力手段からの情報は、貸し出される前記酸素富化機ごとに前記記憶手段に蓄積され、前記第２の入力手段からの情報と前記サーバの情報からレンタル費用が算出され、算出されたレンタル費用の情報は、前記端末に送信されかつ前記表示手段に表示される構成とした酸素富化機のレンタル管理システムで、利用者が酸素富化機を使用した分だけレンタル費を支払うことでライフサイクルコストを低減することができるとともに、賃貸する事業者側は利用者の利用状況から算出されるレンタル費を明確にかつ迅速に計算できる賃貸システムを構築することができる。
【００１１】
また、貸し出される酸素富化機と、貸出しの情報を一元的に管理し貸出しと返却の情報に基づきレンタル費用を算出するサーバとを備え、前記酸素富化機に、前記サーバからのレンタル費用に関する情報を受信する受信手段と、前記レンタル費用を表示する表示手段とを設けた酸素富化機のレンタル管理システムで、利用者が酸素富化機を使用した使用状況の分だけレンタル費を支払うことでライフサイクルコストを低減することができるとともに、利用者は酸素富化機のレンタル費を自ら常に把握することができる。
【発明の効果】
【００１２】
以上のように本発明によれば、使用者が酸素富化機を使用した使用状況の分だけレンタル費を支払うことで、ライフサイクルコストを低減する酸素富化機のレンタル方法及びレンタル管理システム及びプログラムを提供することができる。
【発明を実施するための最良の形態】
【００１３】
第１の発明は、酸素富化機の貸出し情報を端末に入力し、前記端末からの貸出し時間情報に応じてレンタル費用をサーバで算出して、前記レンタル費用を得る酸素富化機のレンタル方法で、利用者は酸素富化機を使用した分だけレンタル費を支払うことになるのでライフサイクルコストを大幅に低減することができる。
【００１４】
第２の発明は、複数の拠点に配した端末に、酸素富化機の貸出し情報を入力し、前記端末からの貸出し時間の情報に基づき、レンタル費用をサーバで算出して、前記レンタル費用を得る請求項１記載の酸素富化機のレンタル方法で、使用者が酸素富化機を使用した分だけレンタル費を支払うことでライフサイクルコストを低減することができるとともに、貸出しされる拠点と返却する拠点が異なっていてもレンタルすることが可能であり、電車、飛行機などの移動手段などで移動中に酸素富化機を使用したいときに利用することができる。
【００１５】
第３の発明は、酸素富化機の貸出しや返却を行う複数の拠点に配した端末と、前記端末からの貸出し拠点情報、返却拠点情報を一元的に管理するサーバとを備え、前記端末からの貸出し拠点情報と返却拠点情報に基づき、レンタル費用をサーバで算出し、前記レンタル費を得る酸素富化機のレンタル管理システムで、利用者が酸素富化機を使用した分だけレンタル費を支払うことでライフサイクルコストを低減することができるとともに、電車、飛行機などの移動手段で酸素富化機を使用した場合、その移動距離に応じたレンタル費用でレンタルすることができる。
【００１６】
第４の発明は、端末を、駅やバスターミナル・売店・高速道路のサービスエリアなど交通手段に関連する複数の場所に配したもので、利用者が酸素富化機を使用した分だけレンタル費を支払うことでライフサイクルコストを低減することができるとともに、電車や飛行機などの移動手段で酸素富化機を使用した場合、移動手段の乗り降りや発着、または途中の段階で酸素富化機を借りたり、返したりすることができる。
【００１７】
第５の発明は、酸素富化機を貸出しや返却を行う複数の拠点のそれぞれに配され、貸出しされた情報を入力する第１の入力手段、返却された情報を入力する第２の入力手段、レンタル費用を表示する表示手段を有する端末と、前記端末のそれぞれと互いに情報を送受信し貸出し情報を蓄積する記憶手段、レンタル費用を算出する算出手段を有するサーバとを備え、前記第１の入力手段からの情報は、貸し出される前記酸素富化機ごとに前記記憶手段に蓄積され、前記第２の入力手段からの情報と前記サーバの情報からレンタル費用が算出され、算出されたレンタル費用の情報は、前記端末に送信されかつ前記表示手段に表示される構成とした酸素富化機のレンタル管理システムで、利用者が酸素富化機を使用した分だけレンタル費を支払うことでライフサイクルコストを低減することができるとともに、賃貸する事業者側は利用者の利用状況から算出されるレンタル費を明確にかつ迅速に計算できる賃貸システムを構築することができる。
【００１８】
第６の発明は、貸し出される酸素富化機と、貸出しの情報を一元的に管理し貸出しと返却の情報に基づきレンタル費用を算出するサーバとを備え、前記酸素富化機に、前記サーバからのレンタル費用に関する情報を受信する受信手段と、前記レンタル費用を表示する表示手段とを設けた酸素富化機のレンタル管理システムで、利用者が酸素富化機を使用した分だけレンタル費を支払うことでライフサイクルコストを低減することができるとともに、利用者は酸素富化機のレンタル費を自ら常に把握することができる。
【００１９】
第７の発明は、コンピュータを、請求項１〜６のいずれか１項に記載の酸素富化機のレンタル方法および／またはレンタル管理システムとして機能させるためのプログラムで、前記酸素富化機のレンタル方法および／またはレンタル管理システムの管理および推進を、コンピュータにて迅速かつ確実に実践させるものである。
【００２０】
第８の発明は、コンピュータを、利用者の使用状況を記憶する記憶手段と、前記使用状況のデータから費用を算出する算出手段として機能させるプログラムで、レンタル費用を、コンピュータにて迅速かつ確実に算出できるものである。
【００２１】
以下、本発明の実施の形態について、図面を参照しながら説明する。なお、この実施の形態によって本発明が限定されるものではない。
【００２２】
（実施の形態１）
以下、本発明の第１の実施の形態について図面を用いて説明する。
【００２３】
図１は、本実施の形態におけるレンタルの対象となる酸素富化機の一例を示す斜視図で、図２は本実施の形態における酸素富化機の管理システムを示すブロック図である。
【００２４】
図１において、酸素富化機１の本体２の内部には、酸素の濃度を高める、いわゆる酸素富化空気を発生する酸素富化膜ユニット等の酸素富化手段（以下、「酸素富化膜ユニット」と称す）（図示せず）を設けている。前記酸素富化膜ユニットは有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニットを通過後の酸素富化空気においては、酸素が占める割合が約３０％（窒素約７０％）となる。
【００２５】
４は、利用者の頭に付けるヘッドセットユニット状の酸素富化空気吐出手段（以下、「ヘッドセットユニット」と称す）で、本体２と塩化ビニル等の柔軟な透明チューブからなる連結管５で接続され、酸素富化空気を、使用者に供給するためのものである。
【００２６】
図２において、レンタル商品である酸素富化機１は、レンタルの貸出し・返却の場所であるとともにレンタル業務を実施している拠点Ａ２０ａ、拠点Ｂ２０ｂ、拠点Ｃ２０ｃに、酸素富化機１がそれぞれ複数個づつ備えられている。
【００２７】
またレンタル業務を行う拠点Ａ２０ａ、拠点Ｂ２０ｂ、拠点Ｃ２０ｃのそれぞれに、情報のインターフェースとしての端末２１が設置され、それぞれの端末２１は、貸出しの際に貸出した情報を入力する第１の入力手段２２、返却された情報を入力する第２の入力手段２３、レンタル費用を表示する表示手段２４、これら端末２１内の情報をコントロールするための制御手段２５、情報を端末２１の外部へ送信並びに外部より受信する送受信手段２６を備えている。
【００２８】
３０は、サーバで、拠点Ａ２０ａ、拠点Ｂ２０ｂ、拠点Ｃ２０ｃのそれぞれに配備された端末２１との間で情報を送信、受信を行う送受信手段３６と、情報を蓄積する記憶手段３７と、端末２１からの返却情報と記憶手段３７の情報からの返却情報からレンタル費用を算出する算出手段３８、これらサーバ３０内の情報をコントロールする制御手段３５から構成されている。
【００２９】
上記構成による動作を説明する。
【００３０】
酸素富化機１をレンタルしようとする利用者は、まずレンタルの業務を行っている拠点Ａ２０ａへ出向き、酸素富化機１の借用の申し出を貸出し窓口へ申請する。貸出しの申請を受けレンタル業者の担当者は、貸出す酸素富化機１の個体を特定する識別情報と貸出しの時間的な情報、例えば貸出し開始の日時を拠点Ａ２０ａが所有する端末２１の第１の入力手段２２に入力する。端末２１に入力された酸素富化機１の識別情報と、貸出しの時間的な情報は一対となり、同じく拠点Ａ２０ａの端末２１内の制御手段２５を介し送受信手段２６からサーバ３０へ送信される。
【００３１】
サーバ３０は、レンタルの情報を一元的に管理するために、複数の拠点の端末２１に対し１個設けられている。今回のレンタルに関する情報は、貸出しされた拠点Ａ２０ａの端末２１から送信された貸し出しに関する一対の情報（酸素富化機１の識別情報と貸出し時間情報）は送受信手段３６にて受信され、制御手段３５によって情報の種類が貸出し情報であると判断され記憶手段３７へと送られ蓄積される。
【００３２】
そして、利用者が酸素富化機１の利用を終え、それを返却する場合、最寄のレンタルの業務を行っている拠点Ｂ２０ｂへ行き酸素富化機１を返却する。その際レンタル業者の担当者は、返却された酸素富化機１の個体を特定する識別番号と返却の時間的な情報、例えば返却の日時を、拠点Ｂ２０ｂの端末２１の第２の入力手段２３に入力する。拠点Ｂ２０ｂの端末２１に入力された酸素富化機１の識別情報と、返却の時間的な情報は一対となり、同じく拠点Ｂ２０ｂの端末２１の制御手段２５を介し送受信手段２６からサーバ３０へ送信される。
【００３３】
サーバ３０は、拠点Ｂ２０ｂの端末２１から送信された返却に関する一対の情報（酸素富化機１の識別情報と返却時間情報）を送受信手段３６にて受信し、制御手段３５によって情報の種類が返却情報であると判断し、以前に記憶手段３７へ蓄積されている該当酸素富化機１の貸出し情報を参照しながら算出手段３８にて該当のレンタル費用を算出する。このレンタル費用の情報は送受信手段３６を通じ、返却情報が送られてきた拠点Ｂ２０ｂの端末２１へ瞬時のうちに送信される。
【００３４】
レンタル費用の情報を、拠点Ｂ２０ｂの端末２１の送受信手段２６にて受信し、入手したレンタル費用の情報を同拠点Ｂ２０ｂの端末２１の制御手段２５によって表示手段２４へ送られ、表示手段２４によりレンタル費用をレンタル業者の担当者へ知らせる。担当者は算出されたレンタル費用を即時に読み取ることができ、利用者からレンタル費用を回収する。
【００３５】
また、図３に示すように、レンタルされる酸素富化機１の本体２内にサーバ３０からのレンタル費用の情報を受信する受信手段４１と、受信されたレンタル費用の情報からレンタル費を表示する表示手段４２を設けるようにすると、逐次あるいは所望する時、本体２の表示手段４２でレンタル費用を確認することができるので、利用者にとってレンタル中でもその時点の費用が一目瞭然で確認できるとともに、返却の際もレンタル業者の担当の人がレンタル費用を即座に把握できるので、レンタル費用の回収を速やかに行う事ができる。
【００３６】
また、利用中に酸素富化機１が故障した場合は、最寄の拠点で修理を受けるか代替品を受けることができるので、しばらく使用できないという事態は避けられ、しかも修理代金や交換費用が不用なので、利用者にとって新たな費用負担が課せられる事も無い。
【００３７】
なお、上記実施の形態では、酸素富化機１を貸し出した拠点と異なる拠点に返却する場合について述べたが、このシステムによれば、同一拠点で貸出し、返却される場合においても、上記の説明より明らかなように、レンタル費用を回収することができることは言うまでもない。
【００３８】
（実施の形態２）
図４は、本発明の第２の実施の形態におけるレンタル管理システムの概要を示す概要図である。なお、上記第１の実施の形態と同一部分は、同一符号を付してその説明を省略する。
【００３９】
酸素富化機１をレンタルしようとする利用者は、まずレンタルの業務を行っている拠点Ａ２０ａへ出向き、酸素富化機１借用の申し出を貸出しされる窓口へ申請する。貸出しの申請を受けレンタル業者の担当者は、貸出す酸素富化機１の個体を特定する識別情報と、貸出し拠点の位置的な情報、例えば拠点Ａ２０ａの住所などの情報あるいは拠点Ａ２０ａを識別するためにあらかじめ設定されている拠点コードなどを、拠点Ａ２０ａの端末２１の第１の入力手段２２で入力する。端末２１に入力された酸素富化機１の識別情報と、貸出し拠点Ａ２０ａの情報は一対となり、拠点Ａ２０ａの端末２１の制御手段２５を介し送受信手段２６からサーバ３０へ送信される。
【００４０】
サーバ３０において、今回のレンタルに関する情報は、貸出しされた拠点Ａ２０ａの端末２１から送信された貸し出しに関する一対の情報（酸素富化機１の識別情報と貸出し拠点情報）は送受信手段３６にて受信され、制御手段３５によって情報の種類が貸出し情報であると判断され記憶手段３７へと送られ蓄積される。
【００４１】
そして利用者が酸素富化機１の利用を終え、返却する場合に、他の同じくレンタルの業務を行っている拠点Ｂ２０ｂへ行き、レンタルしていた酸素富化機１を返却する。その際レンタル業者の担当者は、返却された酸素富化機１の個体を特定する識別番号と返却拠点の位置的な情報、例えば拠点Ｂ２０ｂの住所などの情報あるいは拠点コードなどを、拠点Ｂ２０ｂの端末２１の第２の入力手段２３で入力する。端末２１に入力された酸素富化機１の識別情報と、返却を受けた拠点Ｂ２０ｂの情報は一対となり、拠点Ｂ２０ｂの端末２１の制御手段２５を介し送受信手段２６からサーバ３０へ送信される。
【００４２】
サーバ３０では、拠点Ｂ２０ｂの端末２１から送信されて来た返却に関する一対の情報（酸素富化機１の識別情報と返却拠点情報）は送受信手段３６にて受信され、制御手段３５によって情報の種類が返却情報であると判断され、以前に記憶手段３７へ蓄積されている該当酸素富化機１の貸出し情報を参照しながら算出手段３８にて該当のレンタル費用を算出する。このときレンタル費用は貸出しされた拠点Ａ２０ａと返却された拠点Ｂ２０ｂの位置的な関係、つまり拠点間の距離をもとにレンタル費用を算出するようにしておく。このレンタル費用の情報は送受信手段３６を通じ、返却情報が送信された拠点Ｂ２０ｂの端末２１に瞬時のうちに送信される。
【００４３】
レンタル費用の情報を、返却を受けつけた拠点Ｂ２０ｂの端末２１の送受信手段２６にて受信し、入手したレンタル費用の情報が制御手段２５によって表示手段２４へ送られ表示手段２４ｂによりレンタル費用をレンタル業者の担当者へ知らせる。担当者は算出されたレンタル費用を即時に読み取ることができ、利用者からレンタル費用を回収する。
【００４４】
このレンタル管理システムにおいて、各拠点は、交通手段の関連する場所、例えば鉄道や新幹線などにおいては駅の窓口・構内の売店など、高速道路を利用する場合においてはサービスエリア・パーキングエリアや料金所の周囲施設、長距離バスにおいてはバスターミナルといった交通手段を利用するにあたり必然的にあるいは容易に立ち寄ることができる場所に設置するようにする。
【００４５】
こうすることにより、旅客機、客船、旅客列車、バス等の交通手段にて使用者が酸素富化機を使用したい時に使用できるように、更に使用者がレンタル品として酸素富化機を使用する機会が拡大するものであり、使用者が酸素富化機を使用した分だけレンタル費を支払うことになるのでライフサイクルコストを大幅に低減することができ、経済的な負担が非常に少なく、また簡易に利用することができるものである。
【００４６】
上記説明において本管理システムのサーバ３０は、記憶手段３７へ蓄積されている該当酸素富化機１の貸出し情報を参照しながら貸出しされた拠点Ａ２０ａと返却された拠点Ｂ２０ｂの位置的な関係をもとにレンタル費用を算出しているが、あらゆる拠点間のレンタル費用を全ての場合においてあらかじめ計算されたデータベースで保有し、このデータベース化された情報から該当情報を参照しレンタル費用を算出する方法をとっても同様にレンタル費用は提示できるものである。この場合サーバ３０などの大掛かりなシステムを構築するまでもなく、各拠点にデータベース化された料金一覧表を備えておけば、同様のレンタル管理システムは実現することができる。
【００４７】
また、上記したようなレンタル方法の手順及び／またはレンタル管理システムをコンピュータに実行させるための処理プログラム（図示せず）は、上記レンタル方法の手順及び／またはシステムの管理および推進を、汎用のコンピュータにて迅速かつ確実に実践することが出来るものである。
【産業上の利用可能性】
【００４８】
以上のように、本発明にかかる酸素富化機のレンタル方法、レンタル管理システムは、使用者にとってレンタル品のライフサイクルコストを大幅に低減できるので、他の携帯型のレンタル商品にも適用可能である。
【図面の簡単な説明】
【００４９】
【図１】本発明の実施の形態１における酸素富化機の一例を示す斜視図
【図２】同酸素富化機のレンタル方法を示すブロック図
【図３】酸素富化機の他のレンタル方法を示すブロック図
【図４】本発明の実施の形態２における酸素富化機のレンタル管理システムを示すブロック図
【符号の説明】
【００５０】
１  酸素富化機
２  本体
２０ａ  拠点Ａ
２０ｂ  拠点Ｂ
２０ｃ  拠点Ｃ
２０ｄ  拠点Ｄ
２１  端末
２２  第１の入力手段
２３  第２の入力手段
２４  表示手段
２５  制御手段
２６  送受信手段
３０  サーバ
３５  制御手段
３６  送受信手段
３７  記憶手段
３８  算出手段
【図１】
2005115608.tif 000003
【図２】
2005115608.tif 000004
【図３】
2005115608.tif 000005
【図４】
2005115608.tif 000006